(57)【特許請求の範囲】
【請求項１】
電力ケーブルの接続端部で口出しされている素線絶縁導体のそれぞれの絶縁皮膜付素線から絶縁皮膜を除去するための絶縁皮膜除去工具であって、
前記絶縁皮膜付素線の形状に合わせて屈曲可能であり、中空形状に形成されたその内部に前記絶縁皮膜付素線を挿通可能なフレキシブルシャフトと、
このフレキシブルシャフトの先端に取り付けられ、前記絶縁皮膜付素線の絶縁皮膜と当接して摺動移動することで前記絶縁皮膜付素線の絶縁皮膜を除去する除去手段をその内面部に有する中空金具と、を備え、
前記除去手段は、
前記中空金具の内面に砥粒をリング状に固着して形成されるとともに、前記中空金具の軸方向におけるその両端部から中央部に向かい、当該内面の中心に向かって緩やかに湾曲した凸面形状に形成された研磨面を有することを特徴とする絶縁皮膜除去工具。
【請求項２】
前記フレキシブルシャフトの長手方向の中心線を中心に、前記フレキシブルシャフトおよび前記除去手段を回転させる回転手段を備えていることを特徴とする請求項１に記載の絶縁皮膜除去工具。
【請求項３】
前記除去手段をその内面部に有する中空金具の中心線が、前記フレキシブルシャフトの中心線と偏芯していることを特徴とする請求項２に記載の絶縁皮膜除去工具。
【請求項４】
前記フレキシブルシャフトは、コイルばねで構成されていることを特徴とする請求項１から請求項３のいずれか１つに記載の絶縁皮膜除去工具。
【請求項５】
電力ケーブルの接続端部で口出しされている素線絶縁導体のそれぞれの絶縁皮膜付素線から絶縁皮膜を除去するために、前記絶縁皮膜付素線の形状に合わせて屈曲可能であり、中空形状に形成されたその内部に前記絶縁皮膜付素線を挿通可能なフレキシブルシャフトと、このフレキシブルシャフトの先端に取り付けられ、前記絶縁皮膜付素線の絶縁皮膜と当接して摺動移動することで前記絶縁皮膜付素線の絶縁皮膜を除去する除去手段をその内面部に有する中空金具と、を備え、前記除去手段は、前記中空金具の内面に砥粒をリング状に固着して形成されるとともに、前記中空金具の軸方向におけるその両端部から中央部に向かい、当該内面の中心に向かって緩やかに湾曲した凸面形状に形成された研磨面を有する絶縁皮膜除去工具を用いて、
前記フレキシブルシャフトの中空部分に前記絶縁皮膜付素線を挿通させ、
前記絶縁皮膜付素線の長手方向に移動させて、前記除去手段と前記絶縁皮膜付素線とを摺動させて前記絶縁皮膜を除去することを特徴とする絶縁皮膜の除去方法。
【請求項６】
前記フレキシブルシャフトおよび前記除去手段を回転させる回転手段を備え、
前記除去手段と前記絶縁皮膜付素線とを摺動移動させながら、前記回転手段を用いて前記除去手段を回転させて前記絶縁皮膜を除去することを特徴とする請求項５に記載の絶縁皮膜の除去方法。
【発明の詳細な説明】
【技術分野】
【０００１】
本発明は、大容量送電ケーブル（電力ケーブル）の接続端部から口出しされた素線絶縁導体を構成するそれぞれの絶縁皮膜付素線の絶縁皮膜を除去するための絶縁皮膜除去工具および絶縁皮膜の除去方法に関する。
【背景技術】
【０００２】
従来、大容量の電力を送電するために、複数の絶縁皮膜付素線を複数層に撚り合わせた素線絶縁導体からなる送電ケーブル（以下、電力ケーブルという）が使用されている。導体を構成する各素線は、表皮効果に起因する送電損失を低減するために、それぞれがエナメル等からなる絶縁皮膜で覆われている。
【０００３】
このような電力ケーブルを接続しようとする場合は、電気的導通性を確保するために、終端部で口出しされた素線絶縁導体の各絶縁皮膜付素線の絶縁皮膜を除去する必要がある。この除去作業は、従来、絶縁皮膜を除去すべき端部にサンドブラスト処理を施すことにより行われていた（例えば、特許文献１参照）。
【０００４】
また、絶縁皮膜の除去効率を高めるために、絶縁皮膜付素線の層間に分離リングを挿入して、各素線を径方向に開いた状態でサンドブラスト処理を施すことも行われている（例えば、特許文献２参照）。
【先行技術文献】
【特許文献】
【０００５】
【特許文献１】実開平４−１７６１４号公報
【特許文献２】特開平５−３３６６３４号公報
【発明の概要】
【発明が解決しようとする課題】
【０００６】
しかしながら、上述したサンドブラスト処理で絶縁皮膜付素線の絶縁皮膜を除去するためには、以下の問題が生じていた。
（１）作業者のスキルによって、サンドブラスト処理時間にばらつきが生じていた。
（２）接続を行う作業現場に、大型のサンドブラスト装置を持ち込まなければならず、そのスペースを確保するのが困難であった。
（３）所定の長さの絶縁皮膜を除去するためには、口出しされた素線絶縁導体のそれぞれの絶縁皮膜付素線にブラスト粉を広範囲に当てる必要がある。また、絶縁皮膜を絶縁皮膜付素線の根本部分まで除去するためには、口出しされた素線絶縁導体のそれぞれの絶縁皮膜付素線を根本部分まで径方向に大きく開かなければならなかった。そのために、上述した従来技術のように、分離リングなどを使用して素線同士を大きく開く必要があり、作業効率が悪かった。
（４）絶縁皮膜除去後に、除去された絶縁皮膜粉以外に素線間に残留しているブラスト粉も除去する必要があり、作業効率が悪かった。
（５）サンドブラスト処理後に、素線の開きを戻す必要があるが、素線の開き角度が大きいため、開きを戻す作業に時間がかかっていた。また、戻し後の導体外径（素線の束の外径）が元の外径よりも大きくなってしまい、その絞り作業に時間を要していた。
【０００７】
本発明は、上述した事情を鑑みてなされたものであり、絶縁皮膜付素線の絶縁皮膜を従来と比較して効率よく除去することができる絶縁皮膜付素線の絶縁皮膜除去工具および除去方法を提供することにある。
【課題を解決するための手段】
【０００８】
上述課題を解決するため、本発明は、電力ケーブルの接続端部で口出しされている素線絶縁導体のそれぞれの絶縁皮膜付素線から絶縁皮膜を除去するための絶縁皮膜除去工具であって、前記絶縁皮膜付素線の形状に合わせて屈曲可能であり、中空形状に形成されたその内部に前記絶縁皮膜付素線を挿通可能なフレキシブルシャフトと、このフレキシブルシャフトの先端に取り付けられ、前記絶縁皮膜付素線の絶縁皮膜と当接して摺動移動することで前記絶縁皮膜付素線の絶縁皮膜を除去する除去手段をその内面部に有する中空金具と、を備え、前記除去手段は、前記中空金具の内面に砥粒をリング状に固着して形成されるとともに、前記中空金具の軸方向におけるその両端部から中央部に向かい、当該内面の中心に向かって緩やかに湾曲した凸面形状に形成された研磨面を有することを特徴とする。
これによれば、絶縁皮膜付素線の長手方向へ移動させるだけで、絶縁皮膜付素線の曲がり形状にも追従でき、容易に絶縁皮膜付素線の絶縁皮膜を除去することができる。
【０００９】
また、これによれば、絶縁皮膜付素線を中空金具の内面部からなる除去手段に通すことによって、絶縁皮膜付素線を除去手段で囲んだ状態で、絶縁皮膜の除去作業を効率よく行うことができる。また、これによれば、除去手段をなす中空金具の内周面が凸面形状に形成されていることにより、絶縁皮膜付素線の屈曲に合わせて除去手段が当接し易くなり、絶縁皮膜付素線が屈曲する部分であっても、絶縁皮膜を容易に除去することができるようになる。
【００１０】
さらに、前記フレキシブルシャフトの長手方向の中心線を中心に、前記フレキシブルシャフトおよび前記除去手段を回転させる回転手段を備えるようにしてもよい。
これによれば、除去手段が絶縁皮膜に回転しながら当接するようになり、より効率よく短時間で絶縁皮膜の除去作業を行うことができる。
【００１１】
また、前記除去手段をその内面部に有する中空金具の中心線が、前記フレキシブルシャフトの中心線と偏芯しているように構成することもできる。
これによれば、中空金具が揺動して回転するようになり、中空金具の内面部からなる除去手段が絶縁皮膜とさらに強く当接するようになる。その結果、さらに効率よく短時間で絶縁皮膜の除去作業を行うことができる。  
【００１３】
さらにまた、前記フレキシブルシャフトは、コイルばねで構成されているようにしてもよい。
これによれば、コイルばねの弾性力によって、絶縁皮膜付素線の開きによって生じる素線の屈曲に追従し易く、より確実に除去手段を素線の根本部分まで送ることができるようになる。
【００１４】
また、本発明の絶縁皮膜の除去方法は、電力ケーブルの接続端部で口出しされている素線絶縁導体のそれぞれの絶縁皮膜付素線から絶縁皮膜を除去するために、前記絶縁皮膜付素線の形状に合わせて屈曲可能であり、中空形状に形成されたその内部に前記絶縁皮膜付素線を挿通可能なフレキシブルシャフトと、このフレキシブルシャフトの先端に取り付けられ、前記絶縁皮膜付素線の絶縁皮膜と当接して摺動移動することで前記絶縁皮膜付素線の絶縁皮膜を除去する除去手段をその内面部に有する中空金具と、を備え、前記除去手段は、前記中空金具の内面に砥粒をリング状に固着して形成されるとともに、前記中空金具の軸方向におけるその両端部から中央部に向かい、当該内面の中心に向かって緩やかに湾曲した凸面形状に形成された研磨面を有する絶縁皮膜除去工具を用いて、
前記フレキシブルシャフトの中空部分に前記絶縁皮膜付素線を挿通させ、
前記絶縁皮膜付素線の長手方向に移動させて、前記除去手段と前記絶縁皮膜付素線とを摺動させて前記絶縁皮膜を除去することを特徴とする。
これによれば、絶縁皮膜付素線の長手方向へ移動させるだけで、絶縁皮膜付素線の曲がり形状にも追従でき、容易に絶縁皮膜付素線の絶縁皮膜を除去することができる。
【００１５】
また、前記フレキシブルシャフトおよび前記除去手段を回転させる回転手段を備え、
前記除去手段と前記絶縁皮膜付素線とを摺動移動させながら、前記回転手段を用いて前記除去手段を回転させて前記絶縁皮膜を除去するようにしてもよい。
これによれば、除去手段が絶縁皮膜に回転しながら当接するようになり、より効率よく短時間で絶縁皮膜の除去作業を行うことができる。
【発明の効果】
【００１６】
本発明に係る絶縁皮膜付素線の絶縁皮膜除去工具は、前記絶縁皮膜付素線の形状に合わせて屈曲可能であり、中空形状に形成されたその内部に前記絶縁皮膜付素線を挿通可能なフレキシブルシャフトと、このフレキシブルシャフトの先端に取り付けられ、前記絶縁皮膜付素線の絶縁皮膜と接して移動することで前記絶縁皮膜付素線の絶縁皮膜を除去する除去手段を有する研磨部とを備えているので、絶縁皮膜付素線の長手方向へ移動させるだけで、絶縁皮膜付素線の曲がり形状にも追従でき、容易に絶縁皮膜付素線の絶縁皮膜を除去することができる。特に、１本あたりの作業時間は短時間で済み、口出しされた全ての絶縁皮膜付素線についてそれぞれ除去作業することを考慮したとしても、サンドブラスト工法を用いる場合と比較して、短時間で作業を終了させることができる。
【００１７】
また、本発明の工具は、フレキシブルシャフトと除去手段のみを備える工具であるため、サンドブラストのような大型装置を接続現場へ持ち込む必要もなく、設置スペースも不要になる。
さらに、口出しされた素線絶縁導体のそれぞれの絶縁皮膜付素線を絶縁皮膜除去のために開く作業についても、本工具の長手方向への移動を妨げない程度でよいため、サンドブラスト工法を用いる場合と比較して、絶縁皮膜付素線の開きは小さくてよい。そのため、開き作業が軽減される。また、絶縁皮膜付素線を開く角度が、サンドブラストを行う場合よりも小さくて済むため、絶縁皮膜付素線の開きを戻す作業や外径絞り作業時間が短縮される。
【００１８】
さらにまた、サンドブラスト工法の場合には、サンドブラスト終了後に素線間に入り込んだブラスト粉を除去しなければならなかったが、本工具を使用した場合には、除去後に素線表面に残る皮膜粉のみをエアーで吹き飛ばせばよく、作業の軽減、作業時間の短縮を実現することができる。
【００１９】
また、本発明に係る絶縁皮膜付素線の絶縁皮膜除去方法では、電力ケーブルの接続端部で口出しされている素線絶縁導体のそれぞれの絶縁皮膜付素線から絶縁皮膜を除去するために、前記絶縁皮膜付素線の形状に合わせて屈曲可能であり、中空形状に形成されたその内部に前記絶縁皮膜付素線を挿通可能なフレキシブルシャフトと、このフレキシブルシャフトの先端に取り付けられ、前記絶縁皮膜付素線の絶縁皮膜と接して移動することで前記絶縁皮膜付素線の絶縁皮膜を除去する除去手段を有する研磨部とを備えた絶縁皮膜除去工具を用いて、前記フレキシブルシャフトの中空部分に前記絶縁皮膜付素線を挿通させ、前記絶縁皮膜付素線の長手方向に移動させて、前記除去手段と前記絶縁皮膜付素線とを摺動させて前記絶縁皮膜を除去しているので、上述したものと同様な効果を得ることができる。
【図面の簡単な説明】
【００２０】
【図１】本発明の実施の形態に係る絶縁皮膜除去工具を用いて絶縁皮膜付素線の絶縁皮膜を除去している状態を示す概要図である。
【図２】図１の絶縁皮膜除去工具の拡大概要図である。
【図３】図２の状態から、絶縁皮膜除去工具が屈曲している状態を示す拡大概要図である。
【図４】絶縁皮膜除去工具の先端部の拡大図である。
【発明を実施するための形態】
【００２１】
以下、本発明の実施の形態に係る絶縁皮膜付素線１２の絶縁皮膜除去工具１について、図面を用いて詳細に説明する。
図１は、絶縁皮膜除去工具１を用いて絶縁皮膜付素線１２（以下、素線１２という）のエナメル絶縁皮膜１２ａ（以下、絶縁皮膜１２ａという）を除去している状態を示す概要図である。また、図２および図３は、絶縁皮膜除去工具１の除去部分の拡大図、図４は、絶縁皮膜除去工具の研磨部３０の拡大図である。
【００２２】
電力ケーブル１０は、図１に示すように、主に、複数層に寄り合わされた複数の素線１２と、この素線１２によって構成された素線絶縁導体の外側を覆う絶縁層体１１と、この絶縁層体１１の外側を覆う外被１３とで構成されている。この電力ケーブル１０の長手方向の両端接続部では、上述した絶縁層体１１および外被１３とが所定の長さだけ除去されて、複数の素線１２が外側に口出しされた状態で加工されている。
【００２３】
素線１２は、図２および図３に示すように、表皮効果に起因する送電損失を低減するために、芯線１２ｂの外側全周を絶縁皮膜１２ａによって被覆されている。
【００２４】
絶縁皮膜除去工具１は、図１に示すように、１本の素線１２が挿入されるフレキシブルシャフト部２０と、このフレキシブルシャフト部２０の先端部（図１において左側端部）に位置する研磨部３０と、フレキシブルシャフト部の基端部（先端と反対側の端部）に取り付けられる汎用品の電気ドリル４０とを備えている。また、この電気ドリル４０は、図１に示すように、電源５０に接続されて電力が供給されるようになっている。
【００２５】
フレキシブルシャフト部２０は、長尺な中空形状のコイルばね２１で構成されており、このコイルばね２１の長手方向に沿って素線１２が中空部分に挿通可能である。また、図３に示すように、コイルばね２１は、素線１２を挿通させる際に、自らの弾性によって、素線１２の屈曲形状に合わせて自由に屈曲することができるようになっている。
【００２６】
また、コイルばね２１の内径は、素線１２の外径よりも大きく形成されており、素線１２を挿通させる際に、素線１２の中心線がコイルばね２１の中心線と一致していなくても、素線１２をコイルばね２１の内部へ容易に挿通させることができるようになっている。
【００２７】
さらに、コイルばね２１の基端部には、後述する電気ドリル４０と接続するための取付シャフト２２が取り付けられている。この取付シャフト２２の外周端部には、段差部２２ａが形成されている。この段差部２２ａには、コイルばね２１の内径が嵌合して取り付けられている。この段差部２２ａに嵌合して取り付けられたコイルばね２１は、溶接などにより強固に固定されている。
【００２８】
研磨部３０は、図４に拡大して示すように、コイルばね２１の基端部側の先端部に取り付けるための取付金具３１と、この取付金具３１のさらに先端部に取り付けられる中空金具３２とで構成されている。
【００２９】
取付金具３１は、中空円筒形状をなしており、その中空部の中心線Ｔ１は上述したコイルばね２１の長手方向における中心線Ｔ１（図２および図３参照）と一致している。また、取付金具３１のコイルばね２１側の外周縁部には、段差部３１ａが形成されている。この段差部３１ａには、コイルばね２１の先端部が嵌合して取り付けられている。この段差部３１ａに嵌合して取り付けられたコイルばね２１の先端部は、溶接により強固に固定されている。
【００３０】
中空金具３２は、取付金具の外径とほぼ同じであるが、中空部分の中心線Ｔ２が取付金具の中心線Ｔ１よりも偏心している。また、中空金具３２の中空内面には、図４に示すように、ダイヤモンド電着部３３がリング状に設けられている。このダイヤモンド電着部３３は、ダイヤモンド砥粒を中空金具３２の中空内面に固着して形成されている。このダイヤモンド電着部３３は、絶縁皮膜除去作業時に素線１２の絶縁皮膜１２ａと当接して、この絶縁皮膜１２ａを削り取るようにして除去するためのものである。
【００３１】
このダイヤモンド電着部３３は、図４に示すように、その中央部が盛り上がった凸面形状に形成されている。より詳細には、ダイヤモンド電着部３３の左端部３３ａおよび右端部３３ｃの両端から中央部３３ｂに向かうに従い中心線Ｔ２に向かって緩やかに湾曲して凸状になっている。すなわち、このダイヤモンド電着部３３の内径は、中央部３３ｂが最も小さくなっている。
【００３２】
電気ドリル４０は、一般的に使用される電動工具であり、作業者が手動でＯＮ／ＯＦＦして回転／停止するものである。この電気ドリル４０のドリル取付穴４１には、上述した取付シャフト２２が取り付けられている。これにより、電気ドリル４０をＯＮすると、フレキシブルシャフト部２０および研磨部３０が回転することになる。
【００３３】
次に、本発明の実施の形態に係る絶縁皮膜付素線の絶縁皮膜除去工具１の作用および絶縁皮膜除去方法について説明する。
（１）まず、作業者は、図１に示すように、電力ケーブル１０の接続端部で口出しされた素線絶縁導体の複数の素線１２を径方向に開く。この径方向に開く作業は、従来のサンドブラスト処理を行っていたときのように素線１２間の距離を大きく確保するまで開く必要がない。より詳細には、上述した研磨部３０およびフレキシブルシャフト部２０を素線１２の長手方向に沿って挿通可能な程度に開いておけばよい。
【００３４】
（２）次に、作業者は、絶縁皮膜除去工具１の研磨部３０の先端開口から１つの素線１２を挿入し、研磨部３０を素線１２の根本まで移動させる。このとき、素線１２の先端部は、研磨部３０を通って、フレキシブルシャフト部２０のコイルばね２１の中空部まで挿通されることになる。
【００３５】
（３）そして、作業者は、電気ドリル４０を回転させる。これにより、研磨部３０のダイヤモンド電着部３３が素線１２の絶縁皮膜１２ａと擦れ合うようになる。また、研磨部３０の中心線Ｔ２（ダイヤモンド電着部３３の中心線Ｔ２）は、コイルばね２１の中心線Ｔ１よりも偏芯しているので、電気ドリル４０の回転に伴って研磨部３０が揺動回転する。そのため、研磨部３０と挿通された絶縁皮膜付素線１２とが、この素線１２の周方向において擦れ合い易くなり、素線１２の絶縁皮膜１２ａが除去され易くなる。
【００３６】
（４）また、作業者は、電気ドリル４０を回転させながら素線１２の長手方向に沿って根本部から先端部まで移動させる。これにより、絶縁皮膜１２ａは、研磨部３０によってその長手方向の全長（移動長さ）に亘って除去される。なお、（２）〜（４）の作業は、研磨部３０を素線１２の先端部に移動させて、先端部から根本部に向かって移動させることによって行っても良い。
【００３７】
上記（２）〜（４）を全ての素線１２に対して行う。また、最後に、除去した絶縁皮膜１２ａの皮膜粉をエアーで吹き飛ばして清掃する。これにより、全ての絶縁皮膜１２ａを除去することができる。
【００３８】
本発明の実施の形態に係る絶縁皮膜付素線の絶縁皮膜除去工具１によれば、電力ケーブル１０の接続端部で口出しされている素線絶縁導体のそれぞれの素線１２から絶縁皮膜１２ａを除去するための絶縁皮膜除去工具１であって、素線１２の形状に合わせて屈曲可能であり、中空形状に形成されたその内部に素線１２を挿通可能なコイルばね２１と、このコイルばね２１の先端に取り付けられ、素線１２と当接して摺動移動することで素線１２の絶縁皮膜１２ａを除去するダイヤモンド電着部３３とを備えているので、素線１２に対して長手方向へ移動させるだけで、素線１２の曲がり形状にも追従でき、容易に素線１２の絶縁皮膜１２ａを除去することができる。特に、１本あたりの作業時間は短時間で済み、口出しされた素線絶縁導体の全ての素線１２についてそれぞれ除去作業することを考慮したとしても、サンドブラスト工法を用いる場合と比較して、短時間で作業を終了させることができる。
【００３９】
また、本工具１は、コイルばね２１とダイヤモンド電着部３３のみを備える工具であるため、サンドブラストのような大型装置を接続現場へ持ち込む必要もなく、設置スペースも不要になる。
さらに、口出しされた素線絶縁導体のそれぞれの素線１２を絶縁皮膜１２ａ除去のために開く作業についても、本工具１の長手方向への移動を妨げない程度でよいため、サンドブラスト工法を用いる場合と比較して、素線１２の開きは小さくてよい。そのため、開き作業が軽減される。また、素線１２を開く角度が、サンドブラストを行う場合よりも小さくて済むため、素線１２の開きを戻す作業や外径絞り作業時間が短縮される。
【００４０】
さらにまた、サンドブラスト工法の場合には、サンドブラスト終了後に素線１２間に入り込んだブラスト粉を除去しなければならなかったが、本工具１を使用した場合には、除去後に素線１２表面に残る皮膜粉のみをエアーで吹き飛ばせばよく、作業の軽減、作業時間の短縮を実現することができる。
【００４１】
また、ダイヤモンド電着部３３は、素線１２を挿通させるリング状に形成されているので、素線１２をリング状のダイヤモンド電着部３３に通すことによって、素線１２の全周がダイヤモンド電着部３３と満遍なく摺動・研磨されるようになる。そのため、絶縁皮膜の除去作業を効率よくかつむらなく行うことができる。
【００４２】
さらに、コイルばね２１の長手方向の中心線Ｔ１を中心に、コイルばね２１およびダイヤモンド電着部３３を回転させる電気ドリル４０を備えているので、ダイヤモンド電着部３３が絶縁皮膜１２ａに回転しながら当接するようになる。そのため、本工具１を摺動移動させて絶縁皮膜１２ａを除去する場合と比較して、より効率良く短時間で絶縁皮膜１２ａの除去作業を行うことができる。
【００４３】
また、ダイヤモンド電着部３３のリング状の中心線Ｔ２が、コイルばね２１の中心線Ｔ１と偏芯しているので、ダイヤモンド電着部３３が揺動して回転するようになる。これにより、さらにダイヤモンド電着部３３が絶縁皮膜１２ａと強く当接するようになると共に素線１２の周方向に満遍なく当接するようになる。その結果、さらに効率よく短時間で絶縁皮膜１２ａの除去作業を行うことができる。
【００４４】
さらに、ダイヤモンド電着部３３のリング状の内周面が凸面形状に形成されているので、素線１２の屈曲に合わせてダイヤモンド電着部３３が当接し易くなる。これにより、素線１２が屈曲する部分であっても、その屈曲形状に沿って絶縁皮膜１２ａを容易に除去することができるようになる。
【００４５】
以上、本発明の実施の形態に係る絶縁皮膜付素線の絶縁皮膜除去工具について述べたが、本発明は既述の実施形態に限定されるものではなく、本発明の技術思想に基づいて各種の変形および変更が可能である。
例えば、本実施の形態では、研磨部３０を回転させるために汎用品の電気ドリル４０を使用しているが、電気ドリル４０を使用せず（研磨部３０を回転させず）に絶縁皮膜１２ａを除去するようにしてもよい。すなわち、電気ドリル４０に供給する電源５０が確保できない場合や、絶縁皮膜１２ａが容易に除去できる場合などに、研磨部３０を素線１２の延在方向に移動させて、研磨部３０と素線１２とを摺動・研磨することで、絶縁皮膜１２ａを取り除くようにすることもできる。これによれば、電気ドリル４０を使用せず、より安価な絶縁皮膜除去工具を提供することができる。
【００４６】
また、本実施の形態では、フレキシブルシャフト部２０をコイルばね２１で構成しているが、これに限定されるものではない。すなわち、素線１２の屈曲形状などに沿って自由に屈曲が可能なものであれば、例えば、一般的なフレキシブル管などであっても構わない。
【００４７】
さらに、本実施の形態では、研磨部３０を中空金具３２の中空内面にダイヤモンド砥粒をリング状に固着して構成しているが、リング状でなくても、例えば、円弧状に設けるものであってもよい。すなわち、研磨部３０を回転させずに摺動移動させることによって研磨する場合には、円弧状に設けられているだけでもよい。
【００４８】
さらにまた、本実施の形態では、ダイヤモンド砥粒を使用しているが、他の砥粒を用いることもできる。すなわち、絶縁皮膜を除去することができるものであればよく、例えば、ＣＢＮ砥粒などを使用することもできる。
また、本発明の除去手段は、素線１２の絶縁皮膜１２ａに当たり、これを削り取る波を有するものであっても良い。
【００４９】
さらに、本実施の形態では、回転手段として電気ドリル４０を使用しているが、フレキシブルシャフト部２０および研磨部３０に回転動力を与えられるものであれば、電動モータを利用した他の道具であってもかまわない。
【符号の説明】
【００５０】
１  絶縁皮膜除去工具
１０  電力ケーブル
１１  絶縁シース
１２  絶縁皮膜付素線（素線）
１２ａ  エナメル絶縁皮膜（絶縁皮膜）
１２ｂ  芯線
１３  外被
２０  フレキシブルシャフト部
２１  コイルばね（フレキシブルシャフト）
２２  取付シャフト
２２ａ  段差部
３０  研磨部
３１  取付金具
３１ａ  段差部
３２  中空金具
３３  ダイヤモンド電着部（除去手段）
３３ａ  左端部
３３ｂ  中央部
３３ｃ  右端部
４０  電気ドリル（回転手段）
４１  ドリル取付穴
５０  電源
【図１】
0005641575.tif 000002
【図２】
0005641575.tif 000003
【図３】
0005641575.tif 000004
【図４】
0005641575.tif 000005